(57)【要約】      （修正有）【課題】食事の後片付けを大幅に簡略化し、特に足が不自由な場合やお年寄り世帯の場合などの生活改善に大きく貢献するとともに、テーブル本来の機能を損なうことなく実現可能にするテーブルクーラーを提供する。【解決手段】テーブル２と冷却システムを組合わせたテーブルクーラー１を構成するに際して、テーブル２の上面２ｕに載置又は離脱可能に形成し、テーブル２の上面２ｕに載置した際に、少なくともテーブル２の上面２ｕに載せた食品類Ｆａ，Ｆｂ・・・を覆い、かつテーブル２の上面２ｕに閉塞空間Ｓｃを形成可能なカバー体４と、テーブル２に対して一体に又は別体に設けることにより、少なくとも閉塞空間Ｓｃの内部に、冷却機５ｃから供給路５ｓを通して冷却した空気を供給可能な冷却システム５とを備える。【選択図】図１
0003204080.tif 000002
【実用新案登録請求の範囲】
【請求項１】
テーブルと冷却システムを組合わせたテーブルクーラーであって、前記テーブルの上面に載置又は離脱可能に形成し、前記テーブルの上面に載置した際に、少なくとも前記テーブルの上面に載せた食品類を覆い、かつ前記テーブルの上面に閉塞空間を形成可能なカバー体と、前記テーブルに対して一体に又は別体に設けることにより、少なくとも前記閉塞空間の内部に、冷却機から供給路を通して冷却した空気を供給可能な冷却システムとを具備してなることを特徴とするテーブルクーラー。
【請求項２】
前記カバー体は、全部又は一部を透明に形成してなることを特徴とする請求項１記載のテーブルクーラー。
【請求項３】
前記冷却システムは、前記閉塞空間の内部の空気を、戻り路を通して前記冷却機に戻し、再冷却した空気を前記供給路を通して前記閉塞空間に供給する循環冷却可能に構成することを特徴とする請求項１記載のテーブルクーラー。
【請求項４】
前記冷却システムは、前記冷却機を前記テーブルの下面に配設するとともに、前記テーブルに貫通形成した前記供給路及び／又は前記戻り路の一端を前記冷却機に接続し、かつ前記供給路及び／又は前記戻り路の他端を前記テーブルの上面に開口することにより前記閉塞空間に連通させることを特徴とする請求項１又は３記載のテーブルクーラー。
【請求項５】
前記冷却システムは、前記冷却機を前記テーブルに対して別体に設置するとともに、ホース部材により形成した前記供給路及び／又は前記戻り路の一端を前記冷却機に接続し、かつ前記供給路及び／又は前記戻り路の他端を前記カバー体に接続することにより前記閉塞空間に連通させることを特徴とする請求項１又は３記載のテーブルクーラー。
【請求項６】
前記冷却機は、前記カバー体に対して一体に設けることを特徴とする請求項５記載のテーブルクーラー。
【考案の詳細な説明】
【技術分野】
【０００１】
本考案は、テーブルと冷却システムを組合わせることにより、テーブルの上面に形成される閉塞空間を冷却可能なテーブルクーラーに関する。
【背景技術】
【０００２】
従来、テーブルと冷却システムを組合わせることにより、テーブルの上面に形成される閉塞空間を冷却可能なテーブルクーラーとしては、特許文献１で開示される冷却装置及び特許文献２で開示される食物用保冷カバーが知られている。
【０００３】
特許文献１で開示される冷却装置は、冷蔵庫の中を見なくても、準備された食事が一覧でき、また冷却保存された状態で食事をすることができる冷却庫の提供を目的としたものであり、具体的には、圧縮機と、コンデンサーと、冷却コイルとを備えた冷凍冷蔵庫における冷却コイルの配管を庫外に分岐し、庫外の別置冷却庫の冷却コイルに接続するとともに、別置冷却庫のケースの少なくとも一部を透明にし、かつ別置冷却庫のケースをテーブルに取り付けて構成したものである。
【０００４】
また、特許文献２で開示される食物用保冷カバーは、保冷材を用いる食物用保冷カバーについて、過剰な手間を要することなく冷却効率と充分なる保冷時間を実現することを目的としたものであり、具体的には、合成樹脂素材が透明の下向きカップ状に成形されてその内側に保冷室及び保冷材収納室を有しており、保冷対象の食物に上から被せて保冷室内に納めながら保冷材収納室の保冷材で保冷状態を維持する食物用保冷カバーであって、保冷材収納室は、保冷室の上方に配置されてその容積の半分以上を占める部分を下方の保冷室側に突出しながらその底壁及び周壁を保冷室内で露出しているとともに、その上端側の開口部が蓋部材で開閉可能とされて保冷材の出し入れが可能とされており、且つ、保冷材を収納した状態で蓋部材の頂壁下面と保冷材との間に所定の隙間による空気層が形成されるように構成したものである。
【先行技術文献】
【特許文献】
【０００５】
【特許文献１】特開２０００−０８８４２６号公報
【特許文献２】特開２０１５−１００５９８号公報
【考案の概要】
【考案が解決しようとする課題】
【０００６】
しかし、上述した従来のテーブルクーラー（特許文献１及び特許文献２）は、次のような問題点があった。
【０００７】
第一に、特許文献１の冷却装置は、基本的には、既存の冷蔵庫における収容空間の一部をテーブルに対して収納用のケースを一体に組込んだ構成のため、取り出しやすいメリットはあるものの、テーブル本来の機能が失われてしまう難点がある。具体的には、テーブルの中央に鍋を置き、みんなで取って食べるような食事形式ができなくなるとともに、既存の冷蔵庫を利用するアイデアのため、冷蔵庫側とテーブル側を配管等で接続する必要があり、設置コストやエネルギーロスが無視できない。
【０００８】
第二に、特許文献２の食物用保冷カバーは、基本的に保冷材を利用するタイプのため、冷却能力が限定的となる。したがって、持続した長時間の冷却は困難になるとともに、食器単位での冷却は効果があるとしても、冷却空間が広くなった場合には冷却効果を確保できない。しかも、保冷材を冷蔵庫で再冷却して使用するため、取り扱いが面倒であるとともに、直ぐに使用できない事態も生じるなど、使い勝手に難がある。
【０００９】
本考案は、このような背景技術に存在する課題を解決したテーブルクーラーの提供を目的とするものである。
【課題を解決するための手段】
【００１０】
本考案は、上述した課題を解決するため、テーブル２と冷却システム３を組合わせたテーブルクーラー１を構成するに際して、テーブル２の上面２ｕに載置又は離脱可能に形成し、テーブル２の上面２ｕに載置した際に、少なくともテーブル２の上面２ｕに載せた食品類Ｆａ，Ｆｂ，Ｆｃ…を覆い、かつテーブル２の上面２ｕに閉塞空間Ｓｃを形成可能なカバー体４と、テーブル２に対して一体に又は別体に設けることにより、少なくとも閉塞空間Ｓｃの内部に、冷却機５ｃから供給路５ｓを通して冷却した空気Ａを供給可能な冷却システム５とを具備してなることを特徴とする。
【００１１】
この場合、考案の好適な態様により、カバー体４は、全部又は一部を透明に形成することができる。一方、冷却システム５は、閉塞空間Ｓｃの内部の空気Ａを、戻り路５ｒを通して冷却機５ｃに戻し、再冷却した空気Ａを供給路５ｓを通して閉塞空間Ｓｃに供給する循環冷却可能に構成することができる。なお、冷却システム５は、冷却機５ｃをテーブル２の下面２ｄに配設するとともに、テーブル２に貫通形成した供給路５ｓ及び／又は戻り路５ｒの一端を冷却機５ｃに接続し、かつ供給路５ｓ及び／又は戻り路５ｒの他端をテーブル２の上面２ｕに開口することにより閉塞空間Ｓｃに連通させてもよいし、或いは冷却機５ｃをテーブル２に対して別体に設置するとともに、ホース部材１１により形成した供給路５ｓ及び／又は戻り路５ｒの一端を冷却機５ｃに接続し、かつ供給路５ｓ及び／又は戻り路５ｒの他端をカバー体４に接続することにより閉塞空間Ｓｃに連通させてもよく、この際、別体に設置する冷却機５ｃｅは、カバー体４に対して一体に設けてもよい。
【考案の効果】
【００１２】
このような構成を有する本考案に係るテーブルクーラー１によれば、次のような顕著な効果を奏する。
【００１３】
（１）  テーブル２の上面２ｕに載置又は離脱可能に形成し、テーブル２の上面２ｕに載置した際に、少なくともテーブル２の上面２ｕに載せた食器類Ｄａ，Ｄｂ，Ｄｃ…を覆い、かつテーブル２の上面２ｕに閉塞空間Ｓｃを形成可能なカバー体４と、テーブル２に対して一体に又は別体に設けることにより、少なくとも閉塞空間Ｓｃの内部に、冷却機５ｃから供給路５ｓを通して冷却した空気Ａを供給可能な冷却システム５とを備するため、食事の後片付けを大幅に簡略化できるという基本的効果を得ることができる。したがって、特に足が不自由な場合やお年寄り世帯の場合などの生活改善に大きく貢献できる。
【００１４】
（２）  十分かつ継続的な冷却能力を確保できるため、持続的な長時間の冷却を可能にするとともに、冷却空間を広くできる。しかも、これに加えて、テーブル２の上面２ｕを平坦にできるため、テーブル２の本来の機能を失なうことなく使用できる。したがって、例えば、テーブル２の中央に鍋を置き、みんなで取って食べるような食事形式も可能になるとともに、既存の冷蔵庫を利用しないため、設置コストやエネルギーロスも大幅に低減できる。
【００１５】
（３）  好適な態様により、カバー体４の全部又は一部を透明に形成すれば、カバー体４の内部にある食品Ｆａ…や食器等の状態を、カバー体４を離脱させることなく、容易に確認できるとともに、特に、カバー体４の一部を透明に形成すれば、他の部位は断熱材により構成できるなど、より多機能性を持たせることができる。
【００１６】
（４）  好適な態様により、冷却システム５を構成するに際し、閉塞空間Ｓｃの内部の空気Ａを、戻り路５ｒを通して冷却機５ｃに戻し、再冷却した空気Ａを供給路５ｓを通して閉塞空間Ｓｃに供給する循環冷却可能に構成すれば、エネルギーロスを低減し、冷却効率を高めることができるため、より望ましい形態のシステムを構築できる。
【００１７】
（５）  好適な態様により、冷却システム５を構成するに際し、冷却機５ｃをテーブル２の下面２ｄに配設するとともに、テーブル２に貫通形成した供給路５ｓ及び／又は戻り路５ｒの一端を冷却機５ｃに接続し、かつ供給路５ｓ及び／又は戻り路５ｒの他端をテーブル２の上面２ｕに開口することにより閉塞空間Ｓｃに連通させるように構成すれば、テーブル２の下面２ｄ下方を冷却機５ｃの設置スペースとして利用できるとともに、閉塞空間Ｓｃとの距離を最短にできるため、エネルギーロスを低減し、小型コンパクト化を実現する観点から最も望ましい形態により実施可能となる。
【００１８】
（６）  好適な態様により、冷却システム５を構成するに際し、冷却機５ｃをテーブル２に対して別体に設置するとともに、ホース部材１１により形成した供給路５ｓ及び／又は戻り路５ｒの一端を冷却機５ｃに接続し、かつ供給路５ｓ及び／又は戻り路５ｒの他端をカバー体４に接続することにより閉塞空間Ｓｃに連通させるように構成すれば、特に、テーブル２に対して追加加工や追加部品の取付け等が不要になるため、例えば、使い慣れたテーブル２をそのまま利用可能になる。加えて、既存のテーブル２を利用できるため、廉価に構築できるなど、低コスト化を図る観点からも最も望ましい形態により実施可能となる。
【００１９】
（７）  好適な態様により、別体に設置する冷却機５ｃｅを、カバー体４に対して一体に設ければ、カバー体４と冷却機５ｃｅの一体化により最もシンプルな構成とすることができ、冷却能力及び利便性をより高めることができる。
【図面の簡単な説明】
【００２０】
【図１】本考案の好適実施形態（基本実施形態）に係るテーブルクーラーの断面側面図、
【図２】同テーブルクーラーの上方から見た外観斜視図、
【図３】同テーブルクーラーの外観正面図、
【図４】同テーブルクーラーの電気系のブロック構成図、
【図５】本考案の変更実施形態に係るテーブルクーラーの外観正面図、
【図６】本考案の他の変更実施形態に係るテーブルクーラーの外観正面図、
【図７】本考案の他の変更実施形態に係るテーブルクーラーの外観正面図、
【考案を実施するための形態】
【００２１】
次に、本考案に係る好適実施形態を挙げ、図面に基づき詳細に説明する。
【００２２】
まず、本実施形態（基本実施形態）に係るテーブルクーラー１の構成について、図１〜図４を参照して説明する。
【００２３】
図中、２はテーブル（食卓）であり、テーブルクーラー１は、このテーブル２に付設して構成する。このテーブル２には、一部を加工した既存のテーブル２を利用してもよいし、専用のテーブル２として新たに製作してもよい。したがって、テーブル２の基本的構成は、一般的なテーブルの構成でよく、図２に例示するテーブル２は、全体が矩形となり、かつ平坦な上面２ｕを有するテーブル板部２ｐと、このテーブル板部２ｐの下面２ｄの四隅付近から下方に突出した四本の脚部２ｆ…を備えている。
【００２４】
一方、テーブルクーラー１は、大別して、カバー体４と冷却システム５を備える。例示のカバー体４は、矩形状をなす平坦な上板部４ｕ及びこの上板部４ｕの四辺部から斜め下方に延出した矩形枠状の側板部４ｓを備え、透明なプラスチック素材により全体を一体成形する。これにより、全体形状は、矩形状のトレイを上下反転させた形状となる。これにより、カバー体４は、図３に示すように、テーブル２の上面２ｕに対して載置可能又は上面２ｕから離脱可能となる。
【００２５】
また、カバー体４の大きさは、このカバー体４をテーブル２の上面２ｕに載置した際に、少なくともテーブル２の上面２ｕに載せた図１に示す食品類Ｆａ，Ｆｂ，Ｆｃ…を覆うことができるように形成する。このため、高さは、概ね１０〜２０〔ｃｍ〕程度に選定するとともに、テーブル２の上面２ｕに載置した際には、下端辺がテーブル２の上面２ｕに接し、テーブル２の上面２ｕとカバー体４に囲まれた閉塞空間Ｓｃが形成されるように考慮する。したがって、カバー体４における側板部４ｓの下端辺には、ゴム等のシーリング部材を取付け、閉塞空間Ｓｃの密閉性を高めることが望ましい。なお、２１…は、側板部４ｓの外面に一体形成した取手部を示し、例示の場合、前後左右の四個所にそれぞれ設けている。
【００２６】
このように、カバー体４の全体（全部）を透明に形成すれば、カバー体４の内部にある食品Ｆａ…や食器Ｃａ…等の状態を、カバー体４を離脱させることなく、容易に確認することができる利点がある。なお、カバー体４は、一部のみを透明に形成してもよい。この場合には、他の部位を断熱材により構成できるなど、より多機能性を持たせることができる。
【００２７】
他方、冷却システム５は、テーブル２に対して一体に設ける例を示す。例示の冷却システム５は、テーブル２の下面２ｄに冷却機５ｃを配設して構成する。なお、冷却機５ｃの方式は、特に問わないが、ペルチェ素子により構成した電子サーモモジュールを用いることが望ましい。これにより、小型軽量に構成できるとともに、騒音の低減化に寄与できる。冷却機５ｃを取付けるに際しては、テーブル板部２ｐの下面２ｄに、断熱性の高い素材により形成した断熱プレート２２を重ね合わせるとともに、用意した収容ボックス２３の内部に冷却機５ｃを収容し、この収容ボックス２３と断熱プレート２２を、例えば、ボルト等の固定具２４…を用いてテーブル板部２ｐの下面２ｄに一緒に固定する。
【００２８】
また、冷却機５ｃにより冷却した空気Ａを、閉塞空間Ｓｃの内部に供給するパイプ部材を用いた供給路５ｓを備えるとともに、閉塞空間Ｓｃの内部の空気Ａを、冷却機５ｃに戻すパイプ部材を用いた戻り路５ｒを設ける。この場合、図１に示すように、供給路５ｓと戻り路５ｒは、テーブル２を貫通させ、供給路５ｓの他端（上端）を、図２に示すように、テーブル２の上面２ｕに開口させるとともに、供給路５ｓの一端（下端）を、冷却機５ｃの吐出口５ｃｏ（図４）に接続する。さらに、戻り路５ｒの他端（上端）は、図２に示すように、テーブル２の上面２ｕに開口させるとともに、戻り路５ｒの一端（下端）を、冷却機５ｃの戻り口５ｃｉ（図４）に接続する。これにより、閉塞空間Ｓｃと冷却機５ｃ間は、供給路５ｓと戻り路５ｒを通して相互に連通可能となる。
【００２９】
したがって、このように構成すれば、冷却機５ｃにより冷却された空気Ａは、供給路５ｓを通して閉塞空間Ｓｃに供給されるとともに、閉塞空間Ｓｃの内部の空気Ａは、戻り路５ｒを通して冷却機５ｃに戻され、再冷却された空気Ａが、再度供給路５ｓを通して閉塞空間Ｓｃに供給される循環冷却が行われる。なお、２５は、供給路５ｓの上端における供給口５ｓｏに配したゴミ等の進入を阻止する進入阻止ネット、２６は、戻り路５ｒの上端における吸込口５ｒｉに配したゴミ等の進入を阻止する進入阻止ネットをそれぞれ示す。また、図２中、３１は、カバー体４の有無を検出するカバー体検出センサを示す。
【００３０】
さらに、例示の供給口５ｓｏ（供給路５ｓ）と吸込口５ｒｉ（戻り路５ｒ）は、円形に形成した場合を例示したが、その他、図２に仮想線で示すように、テーブル板部２ｐの相隣る二辺に沿って細長い供給口５ｓｅ，５ｓｅ（供給路５ｓ）を設けるとともに、他の相隣る二辺に沿って細長い吸込口５ｒｅ（戻り路５ｒ）を設けてもよい。これにより、供給口５ｓｅと吸込口５ｒｅの位置や面積をより拡大することができる。したがって、供給口５ｓｏと吸込口５ｒｉの形状や位置等は任意であり特定の形状や位置等に限定されるものではない。
【００３１】
このように、冷却システム５を構成するに際し、閉塞空間Ｓｃの内部の空気Ａを、戻り路５ｒを通して冷却機５ｃに戻し、再冷却した空気Ａを供給路５ｓを通して閉塞空間Ｓｃに供給する循環冷却可能に構成すれば、エネルギーロスを低減し、冷却効率を高めることができるため、より望ましい形態のシステムを構築できる利点がある。
【００３２】
特に、基本実施形態のように、冷却機５ｃをテーブル２の下面２ｄに配設するとともに、テーブル２に貫通形成した供給路５ｓ及び／又は戻り路５ｒの一端を冷却機５ｃに接続し、かつ供給路５ｓ及び／又は戻り路５ｒの他端をテーブル２の上面２ｕに開口することにより閉塞空間Ｓｃに連通させるように構成すれば、テーブル２の下面２ｄ下方を冷却機５ｃの設置スペースとして利用できるとともに、閉塞空間Ｓｃとの距離を最短にできるため、エネルギーロスを低減し、小型コンパクト化を実現する観点から最も望ましい形態により実施できる利点がある。
【００３３】
一方、図４に、テーブルクーラー１の電気系統を含む冷却システム５のブロック構成を示す。５ｃは冷却機であり、戻り口５ｃｉと吐出口５ｃｏを備える。冷却機５ｃは、内部に冷却ユニット５ｍと熱交換ユニット５ｋを備え、戻り口５ｃｉから取込まれた空気Ａは、熱交換ユニット５ｋを通過する際に、冷却ユニット５ｍとの熱交換が行われて冷却され、冷却（再冷却）された空気Ａは吐出口５ｃｏから放出される。例示の場合、供給路５ｓの中途に送風ファン３２を配設して空気Ａの循環を可能にしている。
【００３４】
また、３３は制御機能を有する制御部であり、マンクロコンピュータ等により構成することができる。そして、上述したカバー体検出センサ３１はリレー３４を介して制御部３３に接続する。さらに、実施形態では、図３に示すように、テーブル２の側面に、操作パネル３５を配設するとともに、この操作パネル３５に、電源のＯＮ／ＯＦＦスイッチ３６と冷却温度の設定ダイヤル３７を配設する。このＯＮ／ＯＦＦスイッチ３６と設定ダイヤル３７は、図４に示すように制御部３３に接続する。このＯＮ／ＯＦＦスイッチ３６を操作することにより電源のＯＮ／ＯＦＦを切換えることができるとともに、設定ダイヤル３７により冷却温度を設定できる。冷却温度の設定は、「強」，「中」，「弱」等の選択形式であってもよい。なお、ＯＮ／ＯＦＦスイッチ３６は、後述する自動モードと手動モードの切換スイッチを兼ねている。また、図４中、３８は冷却機５ｃと制御部３３に接続した電源プラグを示す。その他、図４中、図１〜図３と同一部分には、同一符号を付し、その構成を明確にするとともに、重複する部分についての詳細な説明は省略する。
【００３５】
次に、本実施形態（基本実施形態）に係るテーブルクーラー１の機能及び使用方法について、図１〜図４を参照して説明する。
【００３６】
まず、テーブル２を、通常の食事を行うテーブルとして使用する際には、図１に示すように、カバー体４をテーブル２の上面２ｕから離脱させて取り除く。これにより、図２に示すように、テーブル２の上面２ｕの全体は、ほぼ平坦になるため、図１に示すように、食品Ｆａ，Ｆｂ，Ｆｃ…を収容した様々な食器Ｃａ，Ｃｂ，Ｃｃ…を載せて食事することができる。なお、この場合、冷却システム５はＯＦＦである。
【００３７】
一方、食事が終わった場合を想定する。この場合、通常は、食後の後片付けを行うため、残った食品Ｆａ…の入った食器Ｃａ…は、ラップを掛けるなどして、冷蔵庫（不図示）に収容し、保存することになるが、本実施形態では、テーブル２にテーブルクーラー１を付設するため、そのままテーブル２の上面２ｕに放置することができる。この場合、テーブル２の上面２ｕに、カバー体４を載置し、このカバー体４により形成される閉塞空間Ｓｃの中に、放置した全ての食器Ｃａ…を収容すればよい。
【００３８】
この後、ＯＮ／ＯＦＦスイッチ３６をＯＮにする。この場合、ＯＮ／ＯＦＦスイッチ３６は、前述したように、手動モードに切換えておけば、手動によりＯＮにすることができる。これに対して、自動モードに切換えておけば、ＯＮ／ＯＦＦスイッチ３６の操作は不要となる。この場合は、テーブル２の上面２ｕにカバー体４を載置した際に、カバー体検出センサ３１が検出するため、冷却システム５は自動でＯＮ状態になる。また、設定ダイヤル３７を操作し、外気温や食品Ｆａ…の種類及び量等に応じて冷却温度を適宜設定することができる。
【００３９】
そして、冷却システム５がＯＮになることにより、冷却ユニット５ｍ及び送風ファン３２が作動するため、冷却機５ｃの内部の空気Ａは、熱交換ユニット５ｋにより冷却され、冷却された空気Ａは、送風ファン３２により、供給路５ｓを通って吐出口５ｃｏから閉塞空間Ｓｃの中に放出される。閉塞空間Ｓｃは、ほぼ密閉状態及び断熱状態にあるため、閉塞空間Ｓｃは冷却された空気Ａにより適度な保存温度に冷却される。また、閉塞空間Ｓｃ内の空気Ａは、吸込口５ｒｉから吸い込まれ、戻り路５ｒを通って冷却機５ｃに戻される。そして、戻された空気Ａは、熱交換ユニット５ｋにより冷却され、再冷却された空気Ａは、送風ファン３２により供給路５ｓを通って吐出口５ｃｏから閉塞空間Ｓｃの内部に放出される循環冷却が行われる。この循環冷却は、ＯＮ／ＯＦＦスイッチ３６がＯＦＦ（又はカバー体４が離脱）するまで継続する。
【００４０】
このように、本実施形態に係るテーブルクーラー１は、基本構成として、テーブル２の上面２ｕに載置又は離脱可能に形成し、テーブル２の上面２ｕに載置した際に、少なくともテーブル２の上面２ｕに載せた食器類Ｄａ，Ｄｂ，Ｄｃ…を覆い、かつテーブル２の上面２ｕに閉塞空間Ｓｃを形成可能なカバー体４と、テーブル２に対して一体に又は別体に設けることにより、少なくとも閉塞空間Ｓｃの内部に、冷却機５ｃから供給路５ｓを通して冷却した空気Ａを供給可能な冷却システム５とを備えるため、食事の後片付けを大幅に簡略化できるという基本的効果を得ることができる。したがって、特に足が不自由な場合やお年寄り世帯の場合などの生活改善に大きく貢献できる。
【００４１】
また、十分かつ継続的な冷却能力を確保できるため、持続的な長時間の冷却を可能にするとともに、冷却空間を広くできる。しかも、これに加えて、テーブル２の上面２ｕを平坦にできるため、テーブル２の本来の機能を失なうことなく使用できる。したがって、例えば、テーブル２の中央に鍋を置き、みんなで取って食べるような食事形式も可能になるとともに、既存の冷蔵庫を利用しないため、設置コストやエネルギーロスも大幅に低減できる。
【００４２】
次に、本考案の変更実施形態に係るテーブルクーラー１について、図５〜図７を参照して説明する。
【００４３】
図５に示す変更実施形態に係るテーブルクーラー１は、冷却機５ｃをテーブル２に対して別体に設置するとともに、断熱性を有するホース部材１１により形成した供給路５ｓ及び戻り路５ｒの一端を冷却機５ｃに接続し、かつ供給路５ｓ及び戻り路５ｒの他端をカバー体４に接続することにより閉塞空間Ｓｃに連通させて構成したものである。
【００４４】
この変更実施形態では、テーブル２の上面２ｕに断熱パネル４１を敷いた例を示している。このため、断熱パネル４１はテーブル２の上面２ｕに対する保護シートを兼ねている。なお、冷却機５ｃは、テーブル２の下方に設置できる大きさに構成する。また、この冷却機５ｃはキャビネット４２に覆われており、このキャビネット４２の内部に、図４に示したカバー体検出センサ３１，送風ファン３２，制御部３３，リレー３４，操作パネル３５等を配設する。
【００４５】
図５に示すテーブルクーラー１は、特に、テーブル２に対して追加加工や追加部品の取付け等が不要になるため、例えば、使い慣れたテーブル２をそのまま利用可能になる。加えて、既存のテーブル２を利用できるため、廉価に構築できるなど、低コスト化を図る観点からも最も望ましい形態により実施できる利点がある。
【００４６】
さらに、別体に設置する冷却機５ｃｅは、図５に仮想線で示すように、カバー体４の上面に対して一体に設けてもよい。このように構成すれば、カバー体４と冷却機５ｃｅを一体化できるため、最もシンプルな構成とすることができ、冷却能力及び利便性をより高めることができる。
【００４７】
また、図５に仮想線で示すように、カバー体４の内面に、細長い吸込口５ｒｍを形成し、この吸込口５ｒｍに、戻り路５ｒ（ホース部材１１）を接続してもよい。この構成は、供給路５ｓ側も同様に構成できる。これにより、吸込口５ｒｍと供給口の範囲と面積をより拡大することができる。
【００４８】
図６に示す変更実施形態に係るテーブルクーラー１は、図５に示した冷却機５ｃに対して、冷凍庫５１を追加したものである。したがって、冷凍が必要なもの、例えば、アイスクリームや氷等を収容することができ、別途の冷蔵庫まで取りに行く必要はなくなり、利便性をより高めることができる。なお、図６中、５１ｍは、冷凍庫５１の開閉ドア、５１ｈはドアハンドルを示す。
【００４９】
図７に示す変更実施形態に係るテーブルクーラー１は、カバー体４を変更したものである。この場合、カバー体４の大きさを、テーブル２の上面２ｕの半分程度に構成したものである。したがって、食器Ｃａ…を寄せ集めた状態で収容することができる。これにより、冷却空間となる閉塞空間Ｓｃの容積をより小さくできるため、電力消費を低減し、省エネルギ性を高めることができるとともに、必要により、テーブル２の上面２ｕの半分程度を通常のテーブル２としても使用可能となる。
【００５０】
また、図７に示すカバー体４は、側面に開閉可能なドアパネル６１を付設した。したがって、このドアパネル６１は、取手６２を持つことにより開閉することができる。６３…は、ドアパネル６１を支持する一対のヒンジ部を示し、ドアパネル６１はこのヒンジ部６３…を支点にして回動可能である。これにより、カバー体４を、テーブル２の上面２ｕに載置した状態で食器Ｃａ…の出し入れ等を行うことができる。しかも、カバー体４を断熱素材により形成し、ドアパネル６１のみを透明に形成することもできる。
【００５１】
以上、好適実施形態（変更実施形態）について詳細に説明したが、本考案は、このような実施形態に限定されるものではなく、細部の構成，形状，素材，数量等において、本考案の要旨を逸脱しない範囲で、任意に変更，追加，削除することができる。
【００５２】
例えば、カバー体４を透明に形成するとは半透明に形成する場合を含む概念である。また、冷却機４には、ベルチェ素子による電子サーモモジュールを用いた場合を例示したが、冷媒を循環させる冷凍サイクルを利用するなど、各種方式による冷却機４を利用可能である。一方、冷却システム５は、閉塞空間Ｓｃの内部の空気Ａを、戻り路５ｒを通して冷却機５ｃに戻し、冷却した空気Ａを供給路５ｓを通して閉塞空間Ｓｃに供給する循環冷却を行う構成を例示したが、戻り路５ｒを設けることなく、供給路５ｓのみを設けて構成する場合を排除するものではない。また、例示のテーブル２は、４人掛けを例示したが、６人掛け、８人掛けなど、テーブル２の大きさは任意である。
【産業上の利用可能性】
【００５３】
本考案に係るテーブルクーラーは、各種テーブルの上面に形成される閉塞空間を冷却する際に利用することができる。
【符号の説明】
【００５４】
１：テーブルクーラー，２：テーブル，３：冷却システム，２ｕ：テーブルの上面，Ｆａ：食品類，Ｆｂ：食品類，Ｆｃ：食品類，Ｓｃ：閉塞空間，４：カバー体，５ｓ：供給路，５ｃ：冷却機，５ｃｅ：冷却機，Ａ：空気，５：冷却システム，５ｒ：戻り路，２ｄ：テーブルの下面，１１：ホース部材
【図１】
0003204080.tif 000003
【図２】
0003204080.tif 000004
【図３】
0003204080.tif 000005
【図４】
0003204080.tif 000006
【図５】
0003204080.tif 000007
【図６】
0003204080.tif 000008
【図７】
0003204080.tif 000009